Podtech/llm-jp-corpus-v4-ja_patent huggingface dataset:
(57)【要約】【課題】周期的に提供されるデータを処理し、移動平均を算出している最中に、移動平均回数を増加させると移動平均値が急激に減少してしまう現象が生じる。本現象を、複雑な処理を行なうことなく防止し、安定した移動平均値を提供する。【解決手段】本発明の移動平均処理について、周期的に提供されるデータに対し、移動平均を実行している最中に移動平均回数を増加させたときに、平均回数を変更する前の移動平均値を平均回数増加分だけデータに加算することにより、移動平均値が急減少しないことを特徴とする。【選択図】図１
2012038184.tif 000002
【特許請求の範囲】
【請求項１】
一定の周期で供給されるデジタルのデータに対して移動平均を算出する処理において、移動平均の実行中に平均回数を増加させたときに、平均回数変更前の移動平均値を平均回数増加分だけデータに加算し移動平均処理することを特徴とする移動平均処理方法。
【発明の詳細な説明】
【技術分野】
【０００１】
本発明は、デジタル制御においてアナログ入力などの入力データを平均化することに関する。
【背景技術】
【０００２】
デジタル制御における移動平均のしくみを図1に基づいて説明する。
【０００３】
移動平均とは過去の何個かのデータの平均を取っていく方法で、単純にサンプリング周期であるｎ時刻のxの値を x[n] と表すとして、N個の移動平均を取るとすると、時刻ｎの移動平均値 y[n] は下記のような式で表すことができる。
【０００４】
【数１】
2012038184.tif 000003
【０００５】
上記の数列の式を差分方程式で表すと式2となる。
【０００６】
【数２】
2012038184.tif 000004
【０００７】
上記の式をブロック図で表現すると図2にとなる。
【０００８】
ここでNを平均回数とする。連続周期でアナログ電圧値のサンプリングを実行している最中に移動平均の平均回数を自由に変更することで、そのときのノイズの特性に瞬時に対応し効果的な移動平均を行うことができる。
【０００９】
但し、現状のしくみで平均回数を増加させた場合、増加させた分のxの値は初め何も値が入っていないため0となり、増加方向への平均回数変更直後は移動平均値が急減少を起こしてしまうという問題があった。
【先行技術文献】
【特許文献】
【００１０】
【特許文献１】特開２０００−１６３１１３号公報
【発明の概要】
【発明が解決しようとする課題】
【００１１】
この発明の課題は、増加方向への平均回数変更直後の急減少を防止しすることで移動平均の安定性を提供することである。
【課題を解決するための手段】
【００１２】
本発明の請求項1では、平均回数変更直後の移動平均値を平均回数増加分だけ加算し、移動平均値を安定させることを特徴とする。
【発明の効果】
【００１３】
連続周期でアナログ電圧値のサンプリングを実行している最中に移動平均の平均回数を自由に変更することで、そのときのノイズの特性に瞬時に対応し効果的な移動平均を行うことができる。
【図面の簡単な説明】
【００１４】
【図１】請求項1の構成を示した図である。
【図２】移動平均のブロック図を示した図である。
【図３】移動平均の本発明を適用した場合の比較図である。
【発明を実施するための形態】
【００１５】
連続周期でサンプリングを実行し、移動平均値を求めているとき、移動平均の平均回数
を増加させたときに、それまでの移動平均値を平均回数増加分だけ加算し移動平均値を
安定させる。
【実施例１】
【００１６】
ここで古いデータ順に4,5,6,7,7,8,8,8,9,9,という10個のデジタル変換値があり、10回の移動平均回数から次の平均で15回の移動平均回数に切り替えたときの具体例を用いて説明する。
【００１７】
数3は現時点での移動平均回数10回の移動平均値である。
【数３】
2012038184.tif 000005
【００１８】
ここで上記の式から次の最新のデータが10だった場合で平均し、平均回数を15に変更した移動平均をAve(15)とすると、以下の結果となる。
【数４】
2012038184.tif 000006
【００１９】
上記の通りAve(10)からAve(15)に移動平均回数を増加した直後に急減少を起こす。そこで増加させた移動平均の数だけ前回平均を代入した移動平均をAve’(15)とすると以下の結果となる。
【数５】
2012038184.tif 000007
【００２０】
上記の式のように移動平均回数を増加させた分だけ前回平均値を代入すると安定して移動平均回数の変更が可能である。
【００２１】
平均を行う値がその後10で一定だったとすると図3のようになり、今回の発明原理を用いることにより安定した移動平均回数の変更が可能であることがわかる。
【産業上の利用可能性】
【００２２】
連続周期でアナログ電圧値のサンプリングを実行している最中に移動平均の平均回数を自由に変更することで、そのときのノイズの特性に瞬時に対応し効果的な移動平均を行うことができる。
【図１】
2012038184.tif 000008
【図２】
2012038184.tif 000009
【図３】
2012038184.tif 000010
(57)【要約】【課題】  本発明は、栽培植物の日影部位に光を乱反射照射し、葉や果実の発育促進と着色促進し、葉の日影部位や果実の日影部位に生じる害虫や病気の抑制をする光乱反射性と、蒸れによる障害防止の通風性の両方の特性を有し、また、乱反射シートの片面または両面の、多数の凸頂上部に網形状部材を接着し、網に乗せた魚を高効率で乾燥させる、乱反射シートを提供する。【手段】  光を反射する薄い板形状部材の全部の面に、０．１ミリメートル〜５ミリメートル径の透孔を４ミリメートル〜８ミリメートル間隙で多数設け、当該板形状部材の全部の面に、高さが０．１ミリメートル〜４ミリメートルで、凸と凸の間隙が０．１ミリメートル〜４ミリメートルの凹凸を、両面に一体的に突出させて両面方向に皴模様を形成し、前記皴模様を形成した前記板形状部材の表面積が前記皴模様の形成前の表面積の０．７倍〜０．８倍である。以上よりなる乱反射シーである。【選択図】  図１
2012157307.tif 000002
【特許請求の範囲】
【請求項１】
光を反射する薄い板形状部材の全部の面に、０．１ミリメートル〜５ミリメートル径の透孔を、透孔の中心と透孔の中心の間隔が４ミリメートル〜８ミリメートル間隔で多数設け、当該板形状部材の全部の面に、高さが０．１ミリメートル〜４ミリメートルで、凸と凸の間隙が０．１ミリメートル〜４ミリメートルの凹凸を、両面に一体的に突出させて両面方向に皴模様を形成し、前記皴模様を形成した前記板形状部材の表面積が前記皴模様の形成前の表面積の０．７倍〜０．８倍である、ことを特徴とする乱反射シート。
【請求項２】
前記乱反射シートの片面または両面の、複数の凸頂上部に網形状部材を接着した、ことを特徴とする請求項１に記載の乱反射シート。
【発明の詳細な説明】
【技術分野】
【０００１】
本発明は、光線を乱反射シートに照射し乱反射させた乱反射光線を、間接照明に利用したり、対象物に照射し、生育促進や、着色促進や、病害虫抑制、物品の乾燥を目的に用いる乱反射シートに関するものである。
【背景技術】
【０００２】
従来、果樹園では、アルミニュームホイルで光を反射させ、反射光を利用することが知られている。
【特許文献１】特開平６−３２０６５７号公報
【発明の開示】
【発明が解決しようとする課題】
【０００３】
農薬を包含するシート材を金属箔に接着しているために、雨水がシートに浸入し重量が増し落下したり、農薬が滲出し包含した雨水が太陽光で高温になり栽培植物に有害である。
【課題を解決するための手段】
【０００４】
請求項１の発明によれば、
光を反射する薄い板形状部材の全部の面に、０．１ミリメートル〜５ミリメートル径の透孔を、透孔の中心と透孔の中心の間隔が４ミリメートル〜８ミリメートル間隔で多数設け、当該板形状部材の全部の面に、
【０００５】
高さが０．１ミリメートル〜４ミリメートルで、凸と凸の間隙が０．１ミリメートル〜４ミリメートルの凹凸を、両面に一体的に突出させて両面方向に皴模様を形成し、前記皴模様を形成した前記板形状部材の表面積が前記皴模様の形成前の表面積の０．７倍〜０．８倍である。
【０００６】
請求項２の発明によれば、
前記乱反射シートの片面または両面の、複数の凸頂上部に網形状部材を接着した。
【発明の効果】
【０００７】
請求項１の発明によれば、
透孔を有するため通風が良くなり、葉や果実に接近して設置しても蒸れることがなく、また、栽培床に乱反射シートを敷き詰めることで次のような効果が得られる。
【０００８】
（イ）栽培植物に当る光線以外は、無駄となるが栽培床や壁面に到達した光線を乱反射し、栽培植物に均一照射するので、生育が早まり、日影部位の果実の着色が向上する。
（ロ）人工照射光栽培では電気代節減できる。
【０００９】
（ハ）栽培植物床の土壌に光線が当たらず雑草の発生を抑制。
（二）栽培植物床の乾燥が防止できて潅水量の減少効果、土壌温度の抑制で植物根の高温障害を抑制。
（ホ）潅水時の飛散水滴を防止し、土壌中の病原体や土が果実や葉へ付着汚染したり、病原体の付着を防止し、イチゴ観光農園では収穫者が洗浄しないイチゴを食するので衛生性が向上し、また、乱反射シートの上から潅水すると透孔から流出して栽培床に給水できる。
【００１０】
（へ）病害虫（アブラムシ）は葉の裏に付着し増殖することが多いので、乱反射シートを用いて、葉や果実の裏側へ乱反射光を照射し、葉裏の病害虫の発生や繁殖が防止でき農薬使用量が減少し、植物体への薬害の減少、残留農薬が減少する。
（ト）温室栽培では、植物栽培床からの水分蒸発の減少により室内湿度が低下するため、病害虫発生が減少し農薬使用量が減少する。
【００１１】
請求項２の発明によれば
（イ）複数の凸頂上部に網を接着した乱反射シートの網の上に、乾燥対象物を乗せるて乾燥させると、直接光線と反射光線両方を乾燥対象物に照射できて乾燥が早くなり、また、網と本体の間隙の通風で乾燥が早まる。
（ロ）網の面を果実や葉側に接するように乱反射シートを設置することで、果実や葉が傷つかない。
【発明を実施するための最良の形態】
【００１２】
以下、本発明の実施形態を図により説明する。
板形状部材７を凸型５と凹型６の間に置き、凸型５と凹型６で板形状部材７を打抜き、複数の透孔２を設けた後、板形状部材７の全周囲を縮小方向８に押縮して皴１を構成し、
【００１３】
次に、全周囲を伸展方向９に伸展して、押縮前の板形状部材の表面積の０．７倍〜０．８倍の位置で固定する。
また、網１３の繊維を複数の凸部３に接着して固定する。
【００１４】
本発明は以上のような構造で、これの使用方法は、
イチゴの植栽床に敷くと、直射光と葉や果実の日影部１４に乱反射光１２が当り、生育と着色促進ができ、また、植物の日影部１４側に立てると乱反射光１２が葉の日影部１４や果実の日陰部１４に照射され病害虫発生を抑制し、網１３の上に魚を乗せると透孔２と網１３の間隙１５と透孔２から風１０が通り、直射光１１と日影部１４に乱反射光１２が当り乾燥が早くなる。
【図面の簡単な説明】
【００１５】
【図１】この発明の実施例1の（A）は完成斜視図、（B）は断面図。
【図２】この発明の実施例1の製造過程の図で、（A）は打抜加工により透孔を設ける図、（B）は全周囲を中心部へ押縮して皴加工の図、（C）は全周囲を伸展して完成途中の図。
【図３】この発明の実施例1の、（A）は本体に網を接着した図、（B）は断面図。
【図４】この発明の実施例1の、（A）は網付の本体で乾燥の図、（B）は植物に使用の図。
【符号の説明】
【００１６】
１    皴
２    透孔
３    凸部
４    本体
５    凸型
６    凹型
７    板形状部材
８    縮小方向
９    伸展方向
１０  風
１１  直射光
１２  乱反射光
１３  網
１４  日影部
１５  間隙
【図１】
2012157307.tif 000003
【図２】
2012157307.tif 000004
【図３】
2012157307.tif 000005
【図４】
2012157307.tif 000006
(57)【要約】【課題】本発明は素材の種類が限られている為に変化に乏しい刺身と云う食品に変化と付加価値の向上を実現する為のもので刺身にイクラをセッティングする事による見た目と１口で２種類の食材を食べる事による新らしいミックス味の世界を提供する。【手段】刃付き丸パイプの加圧により刺身に穴を開けイクラを嵌め込む。【選択図】図１
2012157346.tif 000002
【特許請求の範囲】
【請求項１】
カット済みの刺身に穴を開けイクラを嵌め込んだ刺身。
【発明の詳細な説明】
【技術分野】
【０００１】  本発明は多種有る刺身にイクラを嵌め込む事により見栄えの向上による商品価値を高めると共に１口でミックス味を同時に賞味出来る刺身に関するものである。
【背景技術】
【０００２】  従来刺身の材料は天然の素材を使う関係上工業製品の様に毎年新製品が続々と生れると云う事が無く変化に乏ぼしい分野である、そこで見栄えとミックス味で人間の欲望の大きい１ッである味と云う世界を広げ変化を実現した刺身である。
【発明の開示】
【発明が解決しようとする課題】
【０００３】  イクラは丸い為にたゞ刺身の上に乗せたのでは移動、展示、持ち帰えりの時落ちてしまう、そこで穴を開け嵌め込む事により安定する事が可能である。
【課題を解決するための手段】
【０００４】  １枚の刺身にイクラのセット数は３ヶ位が一番見た目が良いがほたて貝柱の場合は眞中に１ヶセットするのも良い、刺身にワンプッシュで３ヶ穴を開ける場合は刃付き丸パイプを３本固定したグリップを用意してテーブルの上にゴム等の弾性材を敷きその上に刺身を置き押し下げて穴を抜く。
本発明は以上の構成により刺身にイクラを能率的セッティング出来る。
【発明の効果】
【０００５】  本発明を応用した刺身をお店の販売用保冷ケースに並べた場合客の目を引き付け購買意欲をそゝり又１口で２ッの味を賞味出来る、この新しいミックス味は２ッの食材を別々に食べた場合と異り人間の新しい味に対する際限の無い欲望に応える効果が大である。
【発明を実施するための最良の形態】
【０００６】  以下、本発明の実施の形態を説明する。
（イ）刺身の上にイクラをただ乗せたのでは転り落下してしまうので刺身（１）に穴（３）を開けイクラ（２）を嵌め込む。
（ロ）見た目の商品価値の向上の為にイクラのセット数は刺身の材料の種類により変える、マグロ等横長の場合は複数、ほたて貝柱の場合は丸形であるので真中に１粒の様に。
本発明は以上の構成よりなる。
【図面の簡単な説明】
【０００７】
【図１】本発明の正面図
【図２】本発明の側面図
【図３】本発明の要部拡大の断面図
【符号の説明】
【０００８】（１）刺身本体、（２）イクラ、（３）イクラ（２）を嵌め込む穴
【図１】
2012157346.tif 000003
【図２】
2012157346.tif 000004
【図３】
2012157346.tif 000005
(57)【要約】【課題】ばらの水産食材を用いて、新食感で身持ちのしっかりした水産結着品を製造すること。【解決手段】日寒水式測定法に準拠して測定された所定性状の寒天溶液と、あらかじめ加温されたばらの水産食材を混合させた後、冷却環境下で結着成形させること。【特許請求の範囲】
【請求項１】
日寒水式測定法に準拠して測定され、ゼリー強度が３００〜２５００ｇ／ｃｍ２の寒天を溶解した寒天溶液と、あらかじめ２０℃以上に加温したばらの水産食材を混合した後、冷却環境下で結着させることを特徴とする水産加工食品の製造方法。
【発明の詳細な説明】
【技術分野】
【０００１】  本発明は、水産食材の切れ端やばら材、あるいは破卵したばら魚卵等、製品価値の低い水産食材を結着加工し、新食感の水産加工食品を提供する為の製造方法に関するものである。
【背景技術】
【０００２】  従来、上記のような製品価値の低い水産食材の結着加工は、スケソウダラを原料とする凍結乾燥魚肉粉末や、酵素を結着材とし、これを上記水産食材に混和させて行われていた。
また、結着材として一部に寒天を用いる技術（例えば特開２０００−３０８４７２、特開２００９−２１３３５６）も散見されている。【０００３】      特許文献１：特開２０００−３０８４７２
特許文献２：特開２００９−２１３３５６
【発明が解決しようとする課題】
【０００４】  しかし、結着材として凍結乾燥魚肉粉末や酵素を用いる方法では、油脂分や水分の多い水産食材では結着が不可能であった。そのため油脂分、水分の多い水産食材でも結着できる製造方法が要望されている。
【０００５】  また、上記特許文献の技術においては、結着材の一部として寒天が用いられてはいるものの、この寒天の他に、特許文献１では熱凝固性蛋白質が、特許文献２では植物タンパク質が併用されることが必須の要件となっている。
【課題を解決するための手段】
【０００６】  本発明は、既に確立されている結着方法では不可能な水分、油脂分の多い水産食材を、特定性状の寒天のみを用いることで結着が可能である事を見出し、本発明を完成させた。
【０００７】  すなわち本発明は、日寒水式測定法に準拠して測定され、ゼリー強度が３００〜２５００ｇ／ｃｍ２の寒天を溶解した寒天溶液と、あらかじめ２０℃以上に加温したばらの水産食材を混合した後、冷却環境下で結着させる事を特徴とするである。
【発明の効果】
【０００８】  本発明によると、特定の性状での寒天溶液と、あらかじめ２０℃以上に加熱されているばらの水産食材を混合させ、型に流し込み、冷却することで、新食感で身持ちのしっかりした水産結着品を製造することができた。
【発明を実施するための最良の形態】
【０００９】  ここで、日寒水式測定法とは、寒天１．５％水溶液を２０℃で１５時間放置し、凝固させたゲルの固さを測定する方法として認知されているものであり、本発明で使用する寒天の性状としては、水に１．５％濃度で溶解したとのちゼリー強度が３００〜２５００ｇ／ｃｍ２のものが好ましい。ゼリー強度が３００ｇ／ｃｍ２を下回る寒天では、強度不足で成形品とは成り難い。【００１０】  寒天溶液は、仕上がりの結着加工品の総重量に対し５重量％〜５０重量％で使用されることが好ましい。そして、この寒天溶液中の寒天は、その質量が０．３〜５．０％の範囲で使用されることが好ましい。また、冷却環境下としては冷蔵庫等の人工環境が好ましいが、自然環境に置くことも可能である。【００１１】  本発明の対象となる水産食材は、魚卵、魚肉、あわび等の貝類、エビ、カニ等の甲殻類、イカ、タコ等の軟体動物であり、特に魚卵に限定されるものではない。また、これらを二種類以上組み合わせることも可能である。
【実施例】
【００１２】以下、実施例によって本発明方法を説明するが、本発明の技術的範囲はこれによって限定されるものではない。
【実施例１】
【００１３】  日寒水式によるゼリー強度が異なる各寒天を水に２％分散させ、９０℃以上に加熱し溶解させた。５０℃に加温済みのばらの辛子明太子７０重量部と、この各寒天溶液３０重量部を均一に混和して、型に流し込み冷蔵庫にて中心品温を２０℃以下まで冷却した。得られた結着辛子明太子を短冊状にカットし、その製品評価を表１に示す。評価内容としては、＋＋＋が、結着力が十分で、つまみ上げた時に、身折れや身崩れせず、食感も極めて良好、＋＋が、つまみ上げると身折れは起こすが、身崩れはなく、食感も良好、＋は、結着はするが結着力が弱く、身崩れを起こすこともあるとした。【００１４】
【表１】
2012157345.tif 000002
【実施例２】
【００１５】  原料鮭の身をスプーンで削ぎ落とし、２５℃に加温し保持した。日寒水式ゼリー強度が１８００ｇ／ｃｍ２の寒天溶液２０重量部、鮭の身８０重量部を均一に混和して、型に流し込み８℃の冷蔵庫にて中心品温を２０℃以下まで冷却した。得られた鮭結着品は身持ちが良好（身折れ、身崩れなし。）で鮭の風味を損なうことなく、任意の形に成形されたものが得られた。
【実施例３】
【００１６】  原料するめいかをこまかく細断し、２５℃に加熱し保持した。「実施例２」の寒天溶液２０重量部、いかの身８０重量部を均一に混和して、型に流し込み８℃の冷蔵庫にて中心品温を２０℃以下まで冷却した。得られたいか結着品は、身持ちも良好で、するめいかの風味を損なうことなく、任意の形に成形されたものが得られた。
【実施例４】
【００１７】原料つぶ貝をこまかく細断し、２５℃に加熱し保持した。「実施例２」の寒天溶液２０重量部、つぶ貝８０重量部を均一に混和して、型に流し込み８℃の冷蔵庫にて中心品温を２０以下まで冷却した。得られたつぶ貝結着品は、身持ちも良好で、つぶ貝の風味を損なうことなく、任意の形に成形されたものが得られた。
【産業上の利用可能性】
【００１８】  今まで廃棄されたり、加工の困難な水産原料を、所定性状の寒天だけを用いて結着させることで、身持ちのしっかりした任意の形に成形することができるで、水産原料以外の原料への利用価値が広がる可能性がある。
(57)【要約】      （修正有）【課題】臨床患者の床ずれ防止及び介護者の介護負担を軽減する床ずれ防止用介護用具を提供する。【解決手段】マイコン内臓型コントローラ２で制御したモータによって随時又は設定時間間隔で左右に移動する膝支持台４上に臨床患者１の膝を乗せ、踵とでん部を支点として円弧を描くように膝を左右に移動させる。膝を左右に移動させることにより、床ずれ好発部位の長時間の圧迫とずれ力を緩和し、血行を改善することにより床ずれを防止できる。【選択図】図１
2012157678.tif 000002
【特許請求の範囲】
【請求項１】
随時又は設定時間間隔で左右に移動するように制御された膝支持台に臨床患者の膝を乗せ、膝を左右に移動させることを特徴とする床ずれ防止用介護用具。
【発明の詳細な説明】
【技術分野】
【０００１】  本発明は床ずれ防止用介護用具に関する。
【背景技術】
【０００２】  従来から、マットや複雑な床ずれ防止用介護用具はある。（例えば、特許文献１参照。）
【先行技術文献】
【特許文献】
【０００３】
【特許文献１】  特開２００８−３６０２１号  公報
【発明の概要】
【発明が解決しようとする課題】
【０００４】  しかし、従来の方法では、床ずれ防止装置が大規模かつ複雑であること、また十分な床ずれ防止効果が得られず介護者の介護負担が軽減されないこと等から、装置の簡素化と効果的な方法が求められている。【０００５】  本発明は、これらの問題を解決し、床ずれ防止効果および介護負担軽減効果を高めることを目的とするものである。
【課題を解決するための手段】
【０００６】  このような目的を達成する本発明は、随時または設定時間間隔で左右に移動するようにマイコンで制御された膝支持台上に臨床患者の膝を乗せ、踵とでん部を支点として円弧を描くように膝を左右に移動することを特徴とするものである。
【発明の効果】
【０００７】  本発明は、膝を左右に移動させることにより、床ずれ好発部位の長時間の圧迫とずれ力を緩和し、血行を改善することにより床ずれを防止できる。【０００８】  また、膝を左右に移動させることで、交互に左右の腰が僅かに浮くため、同じ体勢を保つことによる体の硬直化を和らげる寝返り効果がある。【０００９】  また、小型軽量で、しかも、操作が簡単なマイコン制御により随時または設定時間間隔で作動するため、臨床患者及び介護者の負担を軽減できる。
【図面の簡単な説明】
【００１０】
【図１】  本発明の床ずれ防止用介護用具の実施図
【図２】  床ずれ防止用介護用具の正面図
【図３】  床ずれ防止用介護用具の左側面図
【図４】  膝支持台駆動部の断面図とその右側面図
【発明を実施するための形態】
【００１１】  以下、本発明の実施の形態を図１〜図４に基づいて説明する。
【００１２】  図１において、膝支持台４上に臨床患者１の膝を乗せる。ここで、膝支持台４は、コントロールライン３を通じてコントローラ及び電源２により、随時または設定時間間隔で左右に移動するように制御される。また、本発明の床ずれ防止用介護用具本体は、ボトムボード６の下部に位置するスライド式の補助ボトムボード７と反対側に在する補助ボトムボード８を広げることにより安定させて使用する。
【００１３】  図２において、膝支持台４は、ボトムボード６上の蝶番２３と、膝支持台固定スリット板１８及び膝支持台固定スリット板１９の間に位置する膝支持台駆動部よって支持される。さらに、膝支持台４は、制御されたモータ９、プーリ１０、ベルト１１、プーリ１２を介し、膝支持台移動用回転ボルト１３が回転することによって左右に移動する。ここで、膝支持台移動用回転ボルト１３は、スラスト及びラジアル軸受である軸受１６及び軸受１７と、ストッパ１４及びストッパ１５によって支持されて回転する。また、膝支持台４は、センサ２０を中心に、センサ２１とセンサ２２の間を移動するように制御される。また、臨床患者１の膝を乗せ易いように閉じられていたスライド式の補助ボトムボード７と補助ボトムボード８を、膝移動時には左右に広げることにより、床ずれ防止用介護用具本体を安定させて使用する。
【００１４】  図３において、サイドボード５と補助サイドボード２５によって臨床患者１の足を保護しつつ、膝支持台４を移動させる。
【００１５】  図４において、膝支持台移動用回転ボルト１３が回転すると、膝支持台移動用ナット２４が膝支持台固定スリット板１８または膝支持台固定スリット板１９を左右に押すことによって、膝支持台４が任意の位置まで移動後、支持される。
【符号の説明】
【００１６】１    臨床患者
２    コントローラ及び電源
３    コントロールライン
４    膝支持台
５    サイドボード
６    ボトムボード
７    補助ボトムボード
８    補助ボトムボード
９    モータ
１０  プーリ
１１  プーリ
１２  ベルト
１３  膝支持台移動用回転ボルト
１４  ストッパ
１５  ストッパ
１６  軸受
１７  軸受
１８  膝支持台固定スリット板
１９  膝支持台固定スリット板
２０  センサ
２１  センサ
２２  センサ
２３  蝶番
２４  膝支持台移動用ナット
２５  補助サイドボード
【図１】
2012157678.tif 000003
【図２】
2012157678.tif 000004
【図３】
2012157678.tif 000005
【図４】
2012157678.tif 000006
(57)【要約】【課題】高熱時などに、腋下動脈を冷やして体温の下降を促進しようとする場合、ペットボトルの水を凍らせた物や小さな保冷剤、冷たいおしぼりを丸めた物を腋に挟んだりしていたが、腋に用いるには大きすぎたり、小さくて挟み辛かったり、短時間での取り替えを要したりしていた。また、タスキ式や貼り付けシートタイプ、体型によって形を変えられる偏平形状の冷却具が知られている。  本発明は、腋の下の保冷剤を胸部で固定する冷却具を提供する。【解決手段】可動式の保冷剤収納部を、長さ調節可能な胸部固定ベルトに通して設け、腋下にフィットしやすい円柱形の保冷剤を前記保冷剤収納部に装着することを特徴とする、腋下動脈熱冷却具。【選択図】図１
2012157674.tif 000002
【特許請求の範囲】
【請求項１】
可動式の保冷剤収納部を、長さ調節可能な胸部固定ベルトに通し、保冷剤を前記保冷剤収納部に装着することを特徴とする腋下動脈熱冷却具。
【発明の詳細な説明】
【技術分野】
【０００１】  本発明は、高熱時・熱中症対策時などの体温冷却具に関するものである。
【背景技術】
【０００２】  従来、高熱時などに腋下動脈を冷却することで体温の下降を促す場合においては、ペットボトルの水を凍らせたものや、小さな保冷剤や冷たいおしぼりなどを腋の下に挟んで冷やしていた。
なお、腋の下を冷却するための用具としてタスキ式・貼り付けシート・体型に合わせて形を変えられる冷却具が知られている（特許文献１・２・３参照）。
【先行技術文献】
【０００３】
【特許文献１】特開２００１−２１３７６７号公報
【特許文献２】特開平１０−０１４９７０号公報
【特許文献３】特開２０００−０６０８９１号公報
【発明の概要】
【発明が解決しようとする課題】
【０００４】  腋の下を冷却する時、薄い板のような保冷剤や小さい保冷剤は、腕や体が少し動くと隙間ができてしまったり外れたりして密着性に欠けてしまう。貼り付けシートは粘着面を直接肌に貼り付けるため、ムレ・カブレなどを引き起こす可能性や、腋毛のある方が使用すると毛に絡み付き、剥がす際に痛みが生じる場合がある。タスキ式は、ズレ落ちを防げ密着性はあるが、保冷剤カバーなどがないと使用中の露で衣服などが濡れてしまう可能性があり、冷え過ぎを防ぐためにもタオルなどで保冷剤を包んで使用する必要がある。
本発明は、以上の問題点を解決するためになされたものである。
【課題を解決するための手段】
【０００５】  ベルトに可動式のポケットを両腋用に２個取り付け、ベルトを胸部の前位置バックルで固定する。可動式ポケットの中には、冷凍しても柔軟性のある円柱形の保冷剤を収納する。
以上の構成よりなる腋下動脈熱冷却具。
【発明の効果】
【０００６】  従来効率的な密着性が得られなかったり、使用中の不具合や手間がかかる腋下動脈熱の冷却を、本発明により腋への安定的な密着感を得られ、貼り付けタイプのシートを直接肌に貼ることもなくムレやカブレなどが生じないばかりか、腋毛がある場合も剥離時の痛みなどの問題もなく、小児・大人を問わず安全かつ効果的に体温の下降を促すことができる。
固定具と、着脱式の保冷剤は繰り返し使用可能である。
【図面の簡単な説明】
【０００７】
【図１】本発明の腋下動脈熱冷却具を示す一部切り欠きの平面図である。
【図２】本発明の腋下動脈熱冷却具の使用状態を示す正面図である。
【発明を実施するための形態】
【０００８】以下、本発明を実施するための形態を図面に基づいて説明すると（図１）ベルト（２）の一端をバックル凹（３）に、ベルト（２）の他の一端をバックル凸（４）に挿通した後、折り返して調節部（５）を形成する。
この時、それぞれの調節部（５）の内側には面ファスナーを設け、自由に長さの調節が出来る部分を形成する。
【０００９】さらに、一枚の布などを縫製などによって筒状に形成し、保冷剤収納部（６）と可動部（７）を形成するように適宜な位置を固定し、丁度二本の筒が並ぶように逢着する。両腋に使用できるように同じものを二個設ける。
【００１０】保冷剤収納部（６）の両端にはゴムを入れ、保冷剤出し入れ口（８）を設ける。
【００１１】保冷剤収納部（６）に円柱形の保冷剤（１）を、保冷剤出し入れ口（８）から装着する。
本発明は以上のような構造である。
本発明を使用する時は、ベルト（２）に可動部（７）を２個とも通し体の胸囲に合わせて調節部（５）の内側の面ファスナーで長さの調節をする。保冷剤出し入れ口（８）より保冷剤収納部（６）に円柱形の保冷剤（１）を収納する。ベルト（２）を胸囲に巻き付け、円柱形の保冷剤（１）が入った保冷剤収納部（６）がそれぞれ腋の下にくるように可動部（７）をスライドさせて調節し腋の下に挟み、バックル凹（３）とバックル凸（４）を胸部の前位置で連結させ固定する。
【符号の説明】
【００１２】１円柱形の保冷剤    ４バックル            ７可動部
２ベルト            ５調節部              ８保冷剤出し入れ口
３バックル凹        ６保冷剤収納部
【図１】
2012157674.tif 000003
【図２】
2012157674.tif 000004
(57)【要約】      （修正有）【課題】シャワーをすると同時にシャンプーができ、その後洗い流しができ、楽しくシャワーができるシャワーヘッドを提供する。【解決手段】シャワーノズル本体の液注入口へシャンプーの液その他の液を入れる。又は開閉蓋を開け、液注入内部６に固形物を入れ、蓋を閉めて、コックを開け水、お湯を流すと、水湯流入口７より水、お湯が液吹き出し口５より水、お湯に押し流され、頭、身体のシャンプーができる。整髪料、ボデイソープに入浴剤は液体、固形も専用の物を作る。液は半練り状態（ゼリー状）の方が良い。固形物は少し柔らかく水に溶けやすい方がベストである。【選択図】図２
2012157676.tif 000002
【特許請求の範囲】
【請求項１】
この楽しいシャワー器は、シャワー器の吹き出し口より、シャンプーやボデーソープ又はお湯用の芳香剤等の液が一緒に吹き出して、頭や身体を気持ちよく洗う事ができるシャワー器である。
【発明の詳細な説明】
【発明の詳細な説明】
【産業上の利用分野】
【０００１】入浴時にお湯に入らずシャワーのみで済ます時、本体液注入口よりシャンプー、ボデーソープ又はお湯用の芳香剤等を注入しておくと、水やお湯と一緒に吹き出し口より出て、気持ち良くシャワーができるシャワー器である。
【背景技術】
【０００２】従来のシャワー器は、使用時に水、お湯抱けのシャワーのみだけで、ボデーソプや他の芳香剤が出てこなく、ただ水、お湯のシャワーのみだった。
【発明が解決しようとする課題】
【０００３】（イ）従来のシャワーノズル本体を取り除く。
（ロ）新しい色々の液体や固形物の入るシャワーノズルに交換する。
【課題を解決するための手段】
【０００４】現在のシャワーノズルを取り除き、新しいシャワーノズルに交換し、ノズルの注入口からシャンプーその他の液体を、蓋の上から注入器て注入する。
又固形物を投入する時は、開閉口の蓋を明け投入して蓋を締め、シャワーを行なうと、一定の時間シャンプー液と一緒にシャワーができる。
【作用】
【０００５】使用時に液体の場合は３の蓋を開閉せず、４液注入口より液（ボディーシャンプー他）を注入する。
固形物の場合は３の蓋を開け、固形物を投入し３の蓋をしめる。
コックを開くと９のホースより、水、お湯が流れ、７の水、湯流入口より水、お湯が入り込み、５の液吹き出し口より液が水、お湯と交じって２の吹き出し口より出て、頭、身体を洗うことができる。
液か無くなると水、お湯のみの洗い流しとなる。
固形物の時は６の液注入内部の中で少しずつ溶けて流れ出す。
【発明の効果】
【０００６】以下、本案の実地例について説明する。
シャワー器の開閉口の注入部から液を、又蓋を開けて固形物を入れ、コックを開らき水かお湯を流すと、液、固形物が水、お湯と一緒に溶けシャワーとなり頭、身体を洗い流し、液、固形物が無くなると、普通の洗い流しに戻る。
尚  液、固形物の投入量によって洗いの時間が決まる。
今  若者の入浴離れに便利に思われる。
図２参照
【図面の簡単な説明】
【図１】シャワーノズル本体
【図２】注入部開閉時の図
【図３】開閉内部
【図４】液注入器
【符号の説明】１−本体ノズル
２−吹き出し口
３−開閉蓋
４−液注入口
５−液吹き出し口
６−液注入内部
７−水、湯流入口
８−本体内部
９−ホース
【図１】
2012157676.tif 000003
【図２】
2012157676.tif 000004
【図３】
2012157676.tif 000005
【図４】
2012157676.tif 000006
(57)【要約】【課題】洗濯物を外出時や悪天候時、又は盗難防止で室内に持ち込む時に、簡単かつ安全に干場を確保できる。【解決手段】枠体上部端部に引掛部を設け、その引掛部と枠体短手方向に対して対象となる位置に回転軸を中心に回動自在にしたアーム部を設け、枠体下部に保持金具止具用ツマミにより水平保持具が摺動自在に保持されたことを特徴とするハンガーホルダーである。【選択図】図１
2012157675.tif 000002
【特許請求の範囲】
【請求項１】
枠体上部端部に引掛部を設け、その引掛部と枠体短手方向に対して対象となる位置に回転軸を中心に回動自在にしたアーム部を設け、枠体下部に保持金具止具用ツマミにより水平保持具が摺動自在に保持されたことを特徴とするハンガーホルダーである。
【発明の詳細な説明】
【技術分野】
【０００１】本発明は引遣いサッシを利用して室内で簡単かつ安全に洗濯物の干場を提供するハンガーホルダーに関するものである
【背景技術】
【０００２】従来窓際に洗濯物を干す時は、カーテンレール等に引っかけ斜めにしたり、堅枠にビス止でハンガーを固定したものである
【先行技術文献】
【０００３】
【特許文献１】  特開２００３−７１１９６号広報
【特許文献２】  特開２０１０−１１０４９６号広報
【発明の概要】
【発明が解決しようとする課題】
【０００４】従来外出時や急な雨や強風時等洗濯物を室内に取り込む時、干場に困り窓のカーテンレールに掛けたり壁際に吊るしたりして洗濯物がカーテンに接触したりした。
本発明は以上の問題点を解決するものである
【課題を解決するための手段】
【０００５】引遣いサッシの召合せ部の堅框上部のガイドレール用切欠き部を利用し本体を吊るし固定して、アーム支持部等をセットして洗濯物用ハンガーの吊場を提供する
【発明の効果】
【０００６】室内の日当たりの良いところに簡単に干す事により、洗濯物の盗難防止や雨・強風、外出時等に安心であり、特に女性の下着等の盗難防止に効果を得る。又、枠体をセットしたまま障子の開閉ができる。カーテンを引いても洗濯物に触れない。
【図面の簡単な説明】
【０００７】
【図１】  本発明の斜視図である
【図２】  本発明の下部水平用金具の説明図である
【図３】  図１の正面図である
【図４】  図１の側面図である
【図５】  図１のサッシにセットした図である
【発明を実施するための形態】
【０００８】図１〜図４は本発明に依る、ハンガーホルダーの全体の形状、図５は実施形態が示されている。
枠体の上部に引掛部を設ける。この時に引掛部は内障、竪框上部のガイドレール用切欠き穴に差し込むため枠体の左端１０ｍｍから２０ｍｍの間に設けられている。又、枠体に直角に設けられている。
枠体の下部に水平保持具を設ける。この時の水平保持具はＬ字形状とし、水平保持具中央には長穴が設けられ、保持金具止用ツマミにより枠体が固定されている。
【０００９】枠体の竪框に接する面の上部と下部に接触面保護のためのクッションが設けられている。
アーム部は枠体上部右側、引掛け部と枠体短手方向に対して対象となる位置に回転軸を中心に回動自在に設ける。アーム先端にハンガー落下防止具が、又、中間にはハンガー引掛用穴とハンガー掛け溝が設けられている。アームは切り欠き部と係合しあう支持部で支持されている。
本発明は以上のような構造で、使用するときはアーム部を水平方向に開き、支持部をセットして固定する。
【符号の説明】
【００１０】（１）枠体  （２）アーム部  （３）支持部  （４）水平保持部  （５）引掛部  （６）ハンガー掛け溝  （７）ハンガー引掛け用穴  （８）ハンガー落下防止部  （９）クッション  （１０）回転軸  （１１）保持金具用ツマミ
【図１】
2012157675.tif 000003
【図２】
2012157675.tif 000004
【図３】
2012157675.tif 000005
【図４】
2012157675.tif 000006
【図５】
2012157675.tif 000007
(57)【要約】      （修正有）【課題】イラストや写真などのデザイン画を施したアートデザイントイレ及びアートデザイン浴槽を提供する。【解決手段】トイレのふた１、トイレの便座、トレイ本体、トイレタンク、お風呂の浴槽にイラストや写真などのデザイン画を直接施したトイレ及び浴槽。【選択図】図１
2012157671.tif 000002
【特許請求の範囲】
【請求項１】
トイレのふた（１）、トイレの便座（２）、トイレ本体（３）、トイレタンク（４）、お風呂の浴槽（５）にイラストや写真などのデザイン画を施したアートデザイントイレ及びアートデザイン浴槽。
【発明の詳細な説明】
【技術分野】
【０００１】この発明は、トイレのふた、トイレの便座、トイレ本体、トイレタンクとお風呂の浴槽にイラストや写真などのデザイン画を直接施すアートデザイントイレ及びアートデザイン浴槽である。
【背景技術】
【０００２】従来、トイレや浴槽は単色のものしかなかった。
【発明の開示】
【発明が解決しようとする課題】
【０００３】次のような欠点があった。
（イ）ふたカバーや便座カバーはあるものの、自分の思うような柄がなかった。
おまけに尿などが飛び跳ねて匂いがついてしまうため、小まめに取り外しては洗わ      なければならなかった。
（ロ）トイレトレーニングを始めた小さな子供はトイレが怖くて行きたがらない場合があ      った。
本発明は、以上のような欠点をなくすためになされたものである。
【課題を解決するための手段】
【０００４】トイレのふた（１）、トイレの便座（２）、トイレ本体（３）、トイレタンク（４）、お風呂の浴槽（５）にイラストや写真などのデザイン画を直接施す。
本発明は、以上の構成によるデザイン画を施したアートデザイントイレ及びアートデザイン浴槽である。
【発明の効果】
【０００５】（イ）自分の好きな絵や写真、キャラクターのイラストなどを直接施せるようになるため      カバーがいらない。
（ロ）好きなキャラクターのデザイン画などを施すことで小さな子供にもトイレは怖いも      のではないと認識でき、大人にもトイレという空間がより快適な空間になる。
（ハ）同様に浴槽にデザイン画を施すことでより快適なお風呂場の空間になる。
【発明を実施するための最良の形態】
【０００６】以下、本発明を実施するための最良の形態について説明する。
トイレのふた（１）、トイレの便座（２）、トイレ本体（３）、トイレタンク（４）、お風呂の浴槽（５）にイラストや写真などのデザイン画を施す。
デザインは個人で好きな絵柄を選び、施す箇所も個人で好きに選択できる。
【図面の簡単な説明】
【０００７】
【図１】本発明の上面図である。
【図２】本発明の上面図である。
【図３】本発明の斜視図である。
【図４】本発明の斜視図である。
【図５】本発明の上面図である。
【符号の説明】
【０００８】（１）トイレのふた
（２）トイレの便座
（３）トイレ本体
（４）トイレタンク
（５）お風呂の浴槽
【図１】
2012157671.tif 000003
【図２】
2012157671.tif 000004
【図３】
2012157671.tif 000005
【図４】
2012157671.tif 000006
【図５】
2012157671.tif 000007
(57)【要約】【課題】  足腰の鍛錬と開脚の運動を行う為の安全な運道器具を提供する。【解決手段】  円柱の先端にロープ２を４本取り付け，両側面に輪環３を縦列に設け，４人までが同時に利用できることを特徴とする運道具である。【選択図】図３
2012157672.tif 000002
【特許請求の範囲】
【請求項１】
（イ）輪環４を円柱１の上端部左右に２個設ける。
（ロ）円柱１の両側面縦列に連なるよう輪環３を設ける。
以上の如く構成された足腰鍛錬の運動具。
【発明の詳細な説明】
【発明の詳細な説明】
【産業上の利用分野】
【０００１】  この発明は，円柱に輪環とロープ等をつけた足腰鍛錬の運動に関するものである。
【背景技術】
【０００２】  従来足腰鍛錬用の運動具は色々あるが本発明式形状のものは無かった。
【発明の開示】
【発明が解決しようとする課題】
【０００３】  しかし其々の運動器具は，其々個々の筋肉にだけ刺激を与える物だけであった為，１種の器具で広範囲の筋肉に刺激を与え，複数箇所の筋肉を使うような器具を望まれていた，そこで一つの動作で複数の筋肉を使い，多彩な効果の表れる運動器具として考えたものである。
【課題を解決するための手段】
【０００４】  円柱の両側面に連なるよう輪環３を設け，開脚度及び柔軟性を兼ねたバランスの向上等を図るための運動具である。
【発明を実施するための最良の形態】
【０００５】  屋外設置用は，下部をコンクリート等で覆い地中に埋設する，また屋内設置の際は下部に固定盤を設け床に固定する，また輪環３を膝程の高さから左右両側面上方に連なるよう付ける。
【発明の効果】
【０００６】  円柱先端の輪環にチェーンまたはロープ２を，４本括り付け，片足を輪の中に潜らせ踵を乗せもう一方の足を軸としロープ等に掴まり，上体のバランスを保ちながら，半回転の反復運動をすることにより柔軟性や開脚度が増し，また姿勢を良く保ち，バランスの取り方等同時に養われる。
【図面の簡単な説明】
【０００７】
【図１】  本発明本体の正面図である。
【図２】  本発明実施の側面図である。
【図３】  本発明実施の正面図である。
【符号の説明】
【０００８】１  円柱
２  ロープ
３  足を乗せる輪環
４  ロープを取り付ける輪環
５  コンクリートで覆った部位
【図１】
2012157672.tif 000003
【図２】
2012157672.tif 000004
【図３】
2012157672.tif 000005
(57)【要約】      （修正有）【課題】加齢や外傷により、就寝時上向きが困難なとき、上向いて就寝する為の敷布である、上向いて寝ることにより、湾曲した身体をリハビリして、人生三分の一の就床生活を快適にし健康に貢献することを提供する。【解決手段】敷布１の長さの三分の一の位置に足首から爪先迄の長さで、敷布と同じ幅の共布２を縫い付け中仕切りを三か所縫い付けポケット3を作る、敷布にポケットを付けて足を差し込み、上向きの姿勢で就寝し、健康に寄与する。【選択図】図１
2012157679.tif 000002
【特許請求の範囲】
【請求項１】
敷布の長さの三分の一の位置に共布を縫いつけて足を差し込むように片方を開放し、仕切部を三か所縫いつけてポケットを作り、敷布に足を差し込む為のポケットを設けたことを特徴とする健康敷布。
【発明の詳細な説明】
【技術分野】
【０００１】本発明は加齢や外傷による腰の曲がりや猫背によって就寝時に上向きが困難な為、上向きの姿勢を容易にする健康敷布に関するものである。
【背景技術】
【０００２】背骨が曲がり腰がかがんでいる場合は、就寝時に上を向いて寝る事が不可能である、仰向けになる為には、両脚を立てなければならず、両脚を立てれば身体が湾曲している為と布団の重みにより、足が滑って上向いて寝る事が非常に困難である。
【先行技術文献】
【特許文献】
【０００３】
【特許文献１】
【発明の概要】
【発明が解決しようとする課題】
【０００４】猫背になり腰がかがんでいると、就寝時に上向きになれず、足を立てて寝ると足先が滑って無理に身体が伸びるため、痛みがあり上向くことが困難である、止む無く横向きの姿勢にならざるを得ないが、横向きになると肺に圧力が加わり酸素の供給が乏しく、健康にも悪影響を与え、老化が加速される、本発明は、以上の問題点を解決するものである。
【課題を解決するための手段】
【０００５】敷布の長さの三分の一の位置に共布を縫い付けて足を差し込むように片方を開放し、仕切り部を三か所縫い付けてポケットを作り、敷布に足を差し込む為のポケットを付けた構造である。
【発明の効果】
【０００６】前述の欠点を防ぐため、本敷布によって両脚を立て、ポケットに足を差し込み、楽に上向きになり肺活量を大きくして、酸素を充分に吸入する事が出来る、湾曲した身体へのリハビリにも最適であり、足先も温まり快眠の為にもなる、人生は三分の一を寝床で過ごすことを考えると、上向きの姿勢が極めて大切である。
【図面の簡単な説明】
【０００７】
【図１】  本発明の敷布及び縫付の共布を示す正面図である。
【図２】  側面図
【発明を実施するための形態】
【０００８】共布（２）は敷布（１）と同じ幅とし、足首から爪先迄の長さのもので４方を閉じ縫いをしておく、敷布（１）の三分の一の位置に共布（２）の５の部分を縫い付け、４の両端をコの字型に縫い、足を差し込む為に６の部分を開放し、仕切部の４を縫い付けて、４区分したポケットを作る、就寝時に上を向いて両脚を立て、足をポケットに差し込めば、爪先が固定されるので、上向きでの就床が可能となる、しばらくそのままでいると身体全体が軟らかくなり、足を伸ばすことが出来て楽に上向きで寝ることが出来る。
【符号の説明】
【０００９】１．敷布本体
２．縫着共布
３．ポケット部分
４．ポケットの仕切部
５．ポケットの縫着箇所
６．ポケットの足差入口
【図１】
2012157679.tif 000003
【図２】
2012157679.tif 000004
(57)【要約】【課題】簡易な壁面または次両目車両へ衝突または接触することによって前進と後進の進行方向を逆転させる機能を有する事を特徴とする鉄道車両玩具を提供する。【解決手段】本発明は以上のような構造である、１駆動モーター及び前後進逆転機付き先頭車両に、３前後進逆転機連動用の切り替スイッチの組み合わせを実現した前後進逆転機能を設けたことを特徴とする。【選択図】図１
2012157680.tif 000002
【特許請求の範囲】
【請求項１】
簡易な壁面または次両目車両へ衝突または接触することによって前進と後進の進行方向を逆転させる機能を有する事を特徴とする鉄道車両玩具。
【発明の詳細な説明】
【技術分野】
【０００１】本発明は、単線路において簡易な壁面または次両目車両へ衝突または接触する事によって前進と後進の進行方向を逆転させる機能を有する事を特徴とする鉄道車両玩具に関する。
【背景技術】
【先行技術文献】
【０００２】従来品における鉄道車両玩具には、音を発するもの、変形するもの、補助車輪等を付属するものがあった。  （例えば特許文献１，特許文献２参照、特許文献３参照）
【特許文献１】特許出願２００４−１３１２６６
【特許文献２】実用新案出願２０１０−４５１７
【特許文献３】実用新案出願２００８−６４３４
【発明の概要】
【発明が解決しようとする課題】
【０００３】しかしながら従来品の鉄道車両玩具には、幼児が遊べる程度の簡単で安全に前進と後進の進行方向を逆転させる機能を有する物が無かった為、環状しない単線路においては終点部分へ到達すると毎度、鉄道車両玩具を手等によって持ち上げ、線路から一度分離させる事によって前進方向を車両本体ごと１８０度回転させ再度線路へ置く必要があった。これは鉄道車両玩具自体に後進機能を有していないという点で不利がある。
【課題を解決するための手段】
【０００４】本発明は、簡易な壁面または２両目車両へ衝突または接触する事によって前進と後進の進行方向を逆転させる機能を有する事を特徴とする鉄道車両玩具であって、簡易な壁面又は前を走行中の列車の後部へ、付属する前後進逆転機連動用の切り替スイッチが接触又は衝突する事で、鉄道車両玩具本体に持たせたモーター逆回転又は前後進専用モーター等を利用した逆進機能によって、手を触れる事なく用意に自動的に進行方向を変化させる機能を有した鉄道車両玩具を提供する事で上記課題を解決する。
【発明の効果】
【０００５】本発明は、単線路において簡易な壁面または２両目車両へ衝突または接触することによって前進と後進の進行方向を逆転させる機能を有し、手を触れることなく用意に自動的に進行方向を変化させる事を特徴とする、鉄道車両玩具が容易に進行方向を変化させる効果を得るのに極めて有効である。
【発明を実施するための形態】
【０００６】本発明の鉄道車両玩具は、図１に示すように、単線路において簡易な壁面または次両目車両へ衝突または接触する事によって、付属する前進と後進の進行方向を逆転させる機能を有するスイッチが接触又は衝突する事により、前進と後進の進行方向を逆転させる機能を有する。
本発明は以上のような構造である。
【実施例】
【０００７】図１に示す１駆動モーター及び前後進逆転機付き先頭車両に付属する３前後進逆転機連動用の切り替スイッチが、１次両目車両玩具（在来一般普及品）又は４簡易な壁等（在来一般普及品）へ衝突又は接触する事により、２駆動モーター及び前後進逆転機付き先頭車両が衝突又は接触したことを検知し、すみやかに進行方向を逆転させる３前後進逆転機連動用の切り替スイッチ部は、直径５ミリ前後で、その見えている部品長さは、７、８、１０連結材がそれぞれ連結した長さと同等であり、伸縮寸法を考慮した長さで標準化する。この事により設計、施工製作が容易になる。また７、８、１０連結材が痛んだ時に交換できる要領と同程度に簡素化された３前後進逆転機連動用の切り替スイッチも、７、８、１０連結材と同等の素材を用いるのが最適である。耐蝕性のあるステンレス製部材や硬質部材は安価製作が難しいと思われる為である。【０００８】以上、本発明の実施の形態及び実施例を説明したが、本発明の範囲はこれに限定されるものではない。例えば、３前後進逆転機連動用の切り替スイッチや７、８、１０連結材の組み合わせ設置位置、全体サイズ、形状、あるいは溝本数、回転締め付け時の必要圧力は、状況に応じて適宜選択されるものである。【０００９】また、３前後進逆転機連動用の切り替スイッチの特性を活かし、従来既製品である、光る機能や音を発生させる機能と連動させることに利用しても良い。【００１０】さらに、発明を実施する為の最良の形態と実施例では従来既製品同等のプラスチック製品類について説明しているが、従来既製品同等のプラスチック製品類に限られたものではなく、その他例えば、紙材、軟質塩化ビニール材、糸材、樹脂材、おがくず材、アルミ材、鉄材、粘土材等、適当な任意の材料のものが利用でき、形状、大きさも、設置位置も任意に選定する事が出来る。また、用途も玩具としての利用を目的とするものに限られず、自然環境に配慮する事を前提とした用途、知育用具として広く用いる事が可能である。
【産業上の利用可能性】
【００１１】本発明は、玩具や知育材を製造する産業で利用される。
【図面の簡単な説明】
【００１２】
【図１】本発明を実施するための最良の第一の形態立面図である。
【符号の説明】１    次両目車両玩具（在来一般普及品）
２    駆動モーター及び前後進逆転機付き先頭車両
３    前後進逆転機連動用の切り替スイッチ
４    簡易な壁等（在来一般普及品）
５    線路（在来一般普及品）
６    駆動モーターと連動しない車輪（在来一般普及品）
７    連結凸部（在来一般普及品）
８    連結凹部（在来一般普及品）
９    駆動モーターと連動する車輪
１０  連結凸部（無い場合あり・在来一般普及品）
【図１】
2012157680.tif 000003